(57)【要約】【課題】漏洩磁界の低減を図り、良好な炊飯性能が得られる炊飯器を提供する。【解決手段】金属で構成されたボデー１と樹脂で構成され複数の排気孔２ｂを有する下枠２とを嵌合してなる本体１５と、本体１５内に設けられ加熱コイル５を配設すると共に鍋３が内挿される保護枠４と、加熱コイル５への通電を制御する制御回路ユニット９を冷却するファンモータ９ａと、下枠２に設けられ外径が加熱コイル５より大なる反射板１１とを備え、反射板１１は、加熱コイル５と下枠２の底面に対して各々一定の間隔を有しているもので、反射板１１を加熱コイル５と最適な空間距離を隔てた下方の位置に配置することができるため漏洩磁界を低減でき、また反射板１１と下枠２の底面にも一定の空間距離を設けているためファンモータ９ａで吸引した冷却風が下枠の排気孔２ｂから効果的に排出でき、加熱コイル５の温度上昇を抑制し、ひいては良好な炊飯性能を得ることができる。【選択図】図１
2011218070.tif 000002
【特許請求の範囲】
【請求項１】
金属で構成されたボデーと樹脂で構成され複数の小孔を有する下枠とを嵌合してなる本体と、前記本体内に設けられ加熱コイルを配設すると共に鍋が内挿される保護枠と、前記加熱コイルへの通電を制御する制御回路と、前記制御回路を冷却するためのファンモータと、前記下枠に設けられ外径が前記加熱コイルより大なる反射板とを備え、前記反射板は、前記加熱コイルと前記下枠の底面に対して各々一定の間隔を有していることを特徴とする炊飯器。
【請求項２】
反射板は、下枠の略中央位置において少なくとも１ケ所を固定され、高さ方向で、先端と前記反射板との間に微小な隙間を有するリブを前記下枠または保護枠に備えてなる請求項１に記載の炊飯器。
【発明の詳細な説明】
【技術分野】
【０００１】
本発明は、炊飯器に関するもので、特に、誘導加熱式の炊飯器の誘導加熱コイルの下方に設置する反射板の構成に関するものである。
【背景技術】
【０００２】
従来、この種の炊飯器としては、炊飯工程中に、誘導加熱コイルに通電することにより、炊飯器本体外に磁束が洩れ出ないように、誘導加熱コイルの周囲にアルミ薄板等で作られた円筒状の反射枠を配設したり、または、図３に示すように、本体下面方向への磁束洩れを防止するため、誘導加熱コイル２０の下方の本体底部２１に配設した係止突部２２に反射板２３を仮止し、誘導加熱コイル２０を保持する保護枠２４から押圧部２５を形成し、反射板２３と誘導加熱コイル２０の距離を一定に保つようにしていたものもある（例えば、特許文献１参照）。
【先行技術文献】
【特許文献】
【０００３】
【特許文献１】特開２０００−１６０号公報
【発明の概要】
【発明が解決しようとする課題】
【０００４】
しかしながら、上記特許文献１に開示されたような従来の炊飯器の構成では、誘導加熱コイル２０と反射板２３の間に一定間隔を確保することができるが、反射板２３と本体底部２１の間には一定の間隔が無く、反射板２３は、本体底部２１にほぼ密着した状態であり、本体内部冷却のために本体底部２１に冷却孔が空けられないため、誘導加熱コイル２０の温度上昇を低減させるために比較的小さめの電流しか通電できず、ひいては炊飯性能が不十分となる、という課題があった。
【０００５】
本発明は、前記従来の課題を解決するもので、誘導加熱コイルの漏洩磁界を低減し、かつ誘導加熱コイルの温度上昇も抑制することで良好な炊飯性能を有する炊飯器を提供することを目的とする。
【課題を解決するための手段】
【０００６】
前記従来の課題を解決するために、本発明の炊飯器は、金属で構成されたボデーと樹脂で構成され複数の小孔を有する下枠とを嵌合してなる本体と、前記本体内に設けられ加熱コイルを配設すると共に鍋が内挿される保護枠と、前記加熱コイルへの通電を制御する制御回路と、前記制御回路を冷却するためのファンモータと、前記下枠に設けられ外径が前記加熱コイルより大なる反射板とを備え、前記反射板は、前記加熱コイルと前記下枠の底面に対して各々一定の間隔を有しているもので、反射板を加熱コイルと最適な空間距離を隔てた下方の位置に配置することができるため漏洩磁界を低減でき、また反射板と下枠の底面にも一定の空間距離を設けているためファンモータから吸引した冷却風が下枠の小孔から効果的に排出でき加熱コイルの温度上昇を抑制することとなり、加熱コイルに適正な通電が行え、ひいては良好な炊飯性能を得ることができる。
【発明の効果】
【０００７】
本発明の炊飯器は、反射板を加熱コイルと最適な空間距離を隔てた下方の位置に配置することができるため漏洩磁界を低減でき、また反射板と下枠の底面にも一定の空間距離を設けているためファンモータから吸引した冷却風が下枠の小孔から効果的に排出でき加熱コイルの温度上昇を抑制することができるため、加熱コイルに適正な通電が行え、ひいて
は良好な炊飯性能を得ることができる。
【図面の簡単な説明】
【０００８】
【図１】本発明の実施の形態１における炊飯器の断面図
【図２】同炊飯器の下枠を外した状態の底面の斜視図
【図３】従来の炊飯器の断面図
【発明を実施するための形態】
【０００９】
第１の発明は、金属で構成されたボデーと樹脂で構成され複数の小孔を有する下枠とを嵌合してなる本体と、前記本体内に設けられ加熱コイルを配設すると共に鍋が内挿される保護枠と、前記加熱コイルへの通電を制御する制御回路と、前記制御回路を冷却するためのファンモータと、前記下枠に設けられ外径が前記加熱コイルより大なる反射板とを備え、前記反射板は、前記加熱コイルと前記下枠の底面に対して各々一定の間隔を有しているもので、反射板を加熱コイルと最適な空間距離を隔てた下方の位置に配置することができるため漏洩磁界を低減でき、また反射板と下枠の底面にも一定の空間距離を設けているためファンモータから吸引した冷却風が下枠の小孔から効果的に排出でき加熱コイルの温度上昇を抑制することとなり、加熱コイルに適正な通電が行え、ひいては良好な炊飯性能を得ることができる。
【００１０】
第２の発明は、特に、第１の発明の反射板は、下枠の略中央位置において少なくとも１ケ所を固定され、高さ方向で、先端と前記反射板との間に微小な隙間を有するリブを前記下枠または保護枠に備えたもので、例えば、包装落下の衝撃等によって反射板の端部が変形し、加熱コイルまたは下枠の底面との一定距離が変化することが無くなり、最適距離を確保することができるわけで良好な漏洩磁界性能、ひいては良好な炊飯性能をも確保することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における炊飯器の断面図、図２は、同炊飯器の下枠を外した状態の底面の斜視図である。
【００１３】
図１、２において、本実施の形態における炊飯器の本体１５は、主にステンレス鋼板等の金属で構成されたボデー１と、ボデー１と嵌合し炊飯器の本体下部を構成する下枠２の中に鍋３を内挿収納する保護枠４と、保護枠４の外表面底部に配設された加熱コイル５を備えている。
【００１４】
６は、ボデー１の上面を覆うように嵌合した上枠であり、その上面を覆うように、開閉自在に取り付けられているのが蓋体７である。
【００１５】
蓋体７の内側には、鍋３内で炊飯されたときに発生する蒸気を導通させる蒸気孔（図示せず）を具備する略円盤状の内蓋７ａを有している。また内蓋７ａの一部は、誘導加熱が可能なステンレスなどの金属で構成されており、内蓋７ａの外周部の鍋３側の面には、蓋体７が閉状態にあるとき、鍋３と密接する略環状の内蓋パッキン７ｂが取り付けられている。内蓋パッキン７ｂは、シリコンゴムなどの弾性体で構成されている。
【００１６】
保護枠４は、上枠６と、鍋３の形状に対応して有底円筒形状に形成され、上部開口側端部で、上枠６に一体的に組立てられた保護枠胴４ａとで構成されている。また保護枠胴４ａの外周面には、側面コイル４ｂが配設されている。
【００１７】
保護枠４の外周面には、加熱コイル５を構成する底面内コイル５ａと底面外コイル５ｂとが取り付けられている。底面内コイル５ａは、保護枠胴４ａを介して鍋３の底部の中央部周囲に対向するように配置されており、底面外コイル５ｂは、保護枠胴４ａを介して鍋３の底部のコーナー部に対向するように配置されている。
【００１８】
保護枠４の底部の中央部分には開口部４ｃが設けられており、当該開口部４ｃには、鍋３の温度を測定するための鍋温度検知装置の一例である鍋温度センサ８が鍋３の底部に当接可能に配置されている。
【００１９】
ボデー１内には、各部及び各装置を駆動制御して炊飯動作を行う制御回路ユニット９が設置されている。制御回路ユニット９は、例えば、蓋体７に設けられた操作スイッチ７ｆを使用して行った使用者の指示に応じて、各部及び各装置の駆動制御を行う。前記制御回路ユニット９の下面側には、下枠２に設けた吸気孔２ａから外部の冷気を導入して、炊飯器内部を冷却するためのファンモータ９ａが一体に組み込まれ、このファンモータ９ａは下枠２の底面に略平行に位置するように配設されている。
【００２０】
ボデー１の前壁上部（図１の左側上部）には、蓋体７のフック部７ｃに係合可能なフックレバー１０が設けられている。フック部７ｃと上枠６との間には、バネ１０ａが設けられている。フックレバー１０は、バネ１０ａにより常時前方（図１の左側）に付勢されている。
【００２１】
蓋体７には、略前方位置に蓋温度検知装置の一例である内蓋温度センサ７ｄと、後方部分に、回動中心位置のヒンジ軸７ｅとが具備され、前記ヒンジ軸７ｅは、蓋体７の開閉軸であり、上枠６に両端部が回動自在に固定されている。蓋体７はヒンジ軸７ｅの近傍に設けた回動バネ（図示せず）により回動する。
【００２２】
前記保護枠４に配設された底面内コイル５ａに対向する位置の下枠２に反射板１１が固定されている。反射板１１は、厚さ０．３〜０．８ｍｍ程度の薄板状のアルミ板等で構成され、その外径は、底面内コイル５ａの外径よりも大きく、下枠２の突起物を挿入するための穴１１ａや、冷却風を通過させて下枠２の排気孔２ｂへ導くためのスリット１１ｂが複数個設けられている。また反射板１１は、下枠２の略中央位置にネジ１２によって２ケ所で締結固定されている。そして、下枠２の、反射板１１の固定されていない側の先端部１１ｃの下方には、受けリブ２ｃが設けられ、その受けリブ２ｃの先端と反射板１１との間に、０．５〜１．０ｍｍのわずかな隙間（微小隙間Ｃ）を設けている（図２参照）。
【００２３】
以上のように構成された本実施の形態における炊飯器について、以下その動作、作用について説明する。
【００２４】
まず、鍋３内に所定の米と水をセットし炊飯工程が開始されると、加熱コイル５に通電が行われ電磁誘導現象が起こる。このとき側面コイル４ｂや底面外コイル５ｂからの磁束洩れには適正間隔を取った位置にステンレス鋼板製のボデー１が設けられていることによって防止することができている。
【００２５】
底面内コイル５ａからの磁束洩れは、下枠２に設けられた反射板１１が底面内コイル５ａより大きな外径寸法を有することにより防止できるようになっている。反射板１１は、下枠２との間に一定の空間距離Ａを、底面内コイル５ｂとの間に一定の空間距離Ｂをそれぞれ有している。
【００２６】
空間距離Ａは、ファンモータ９ａが吸気穴２ａから吸引した外部からの冷却風が、制御
回路ユニット９および保護枠４の表面を高効率的に冷却して、また排気孔２ｂから外部に排出するために必要不可欠な空間である。
【００２７】
また、空間距離Ｂは、反射板１１が底面内コイル５ａに対し近づきすぎれば反射板１１自身が電磁誘導によって熱エネルギーが発生し熱くなってしまい、遠すぎれば、磁束漏洩防止の効果が無くなりまた炊飯器の本体自体が無用に大きくなってしまうため、最適な距離がある。本実施の形態では、開発過程において得られた距離約１３〜１６ｍｍと設定している。
【００２８】
本実施の形態では、反射板１１は、下枠２に１〜２ケ所ネジ締結固定されているが、それ以上増やすことは組立コストを増加させてしまうことにつながるためである。この場合、ネジ１２によって固定されていない側の先端部１１ｃが、万一落下衝撃等によって変形してしまうと各々の最適な空間距離Ａ、Ｂが変化してしまい漏洩磁束性能や炊飯性能が保証できなくなる。
【００２９】
しかしながら、底面内コイル５ａとの距離Ｂは少々ばらついても漏洩磁界性能への大きな影響は無いことは知られているが、距離Ａが小さくなる側に反射板１１が変形すると、下枠２の排気孔２ｂが塞がれ、加熱コイル５の温度上昇低減ができなくなるが、本実施の形態では、図１に示すように、反射枠１１と下枠２の受けリブ２ｃとの間に、接触しない程度の微小隙間Ｃを設けて、反射板１１が下枠２の底面方向に変形しないようにしている。
【００３０】
なお、保護枠４側から反射板１１との間隔を規制する突起物を設けても、同様の効果が得られる、ことは言うまでもない。
【００３１】
以上のように、本実施の形態における炊飯器は、漏洩磁束性能、温度上昇の低減を実現することによって良好な炊飯性能が得られるようになっている。
【産業上の利用可能性】
【００３２】
以上のように、本発明にかかる炊飯器は、反射板を加熱コイルと最適な空間距離を隔てた下方の位置に配置することができるため漏洩磁界を低減でき、また反射板と下枠の底面にも一定の空間距離を設けているためファンモータから吸引した冷却風が下枠の小孔から効果的に排出でき加熱コイルの温度上昇を抑制することができるため加熱コイルに適正な通電が行え、ひいては良好な炊飯性能を得ることが可能となるので、炊飯器のみならず卓上型の誘導加熱調理器等の用途にも適用できる。
【符号の説明】
【００３３】
１  ボデー
２  下枠
２ａ  吸気孔（小孔）
２ｂ  排気孔（小孔）
２ｃ  受けリブ
３  鍋
４  保護枠
５  加熱コイル
５ａ  底面内コイル
９  制御回路ユニット（制御回路）
９ａ  ファンモータ
１１  反射板
１５  本体
【図１】
2011218070.tif 000003
【図３】
2011218070.tif 000004
【図２】
2011218070.tif 000005